(57)【要約】【課題】ＲＡＩＤ−１を構成する２台の記憶装置間の同期化において正しく差分を反映し、同期化にかかる時間を低減することができるストレージシステム及びそれを用いたビル設備管理システムを提供する。【解決手段】ストレージシステムにおいて、セクタに分割された記憶領域をそれぞれ有する第１及び第２の記憶装置と、上位装置による制御の下、第１及び第２の記憶装置の動作を管理制御する管理部と、縮退動作時に動作している一方の記憶装置が有するセクタの内容が変更された場合に、当該変更されたセクタに関する情報を記憶する管理領域と、を備え、管理部は、第１及び第２の記憶装置間の同期化を行う際に、管理領域に記憶された情報に基づいて、変更されたセクタのみを前記同期化の対象とする差分同期化を行い、管理領域は、管理部以外からのデータ書き込みが禁止されている構成とする。【選択図】図１
2012247856.tif 000002
【特許請求の範囲】
【請求項１】
セクタに分割された記憶領域をそれぞれ有する第１の記憶装置及び第２の記憶装置と、
上位装置による制御の下、前記第１の記憶装置及び前記第２の記憶装置の動作を管理制御する管理部と、
前記第１の記憶装置及び前記第２の記憶装置のうち一方のみが動作している縮退動作時に前記一方の記憶装置が有する前記セクタの内容が変更された場合に、当該変更された前記セクタに関するセクタ変更情報を記憶する管理領域と、を備え、
前記管理部は、前記第１の記憶装置と前記第２の記憶装置との同期化を行う際に、前記管理領域に記憶された前記セクタ変更情報に基づいて、変更された前記セクタのみを前記同期化の対象とする差分同期化を行い、
前記管理領域は、前記管理部以外からのデータ書き込みが禁止されていることを特徴とするストレージシステム。
【請求項２】
前記管理領域として、前記第１の記憶装置に設けられた第１の管理領域と、前記第２の記憶装置に設けられた第２の管理領域と、がそれぞれ設けられ、
前記管理部は、前記縮退動作時に前記一方の記憶装置が有する前記セクタの内容が変更された場合に、前記セクタ変更情報を前記第１の管理領域及び前記第２の管理領域の両方に記憶させるとともに、前記第１の記憶装置と前記第２の記憶装置との同期化を行う際、前記第１の管理領域に記憶されたセクタ変更情報と前記第２の管理領域に記憶されたセクタ変更情報とが一致した場合に、当該一致したセクタ変更情報に基づいて、前記差分同期化を行うことを特徴とする請求項１に記載のストレージシステム。
【請求項３】
前記管理部は、前記第１の記憶装置と前記第２の記憶装置との同期化を行う際、前記第１の管理領域に記憶されたセクタ変更情報と前記第２の管理領域に記憶されたセクタ変更情報とが一致しない場合に、前記第１の記憶装置及び前記第２の記憶装置が有する全ての前記セクタを前記同期化の対象とする全同期化を行うことを特徴とする請求項２に記載のストレージシステム。
【請求項４】
請求項１から請求項３のいずれかに記載のストレージシステムを備え、ビルに設けられたビル設備を管理するビル設備管理システムであって、
前記上位装置は、ビル設備の管理に必要な演算処理を行う中央処理装置であり、
前記第１の記憶装置及び前記第２の記憶装置は、前記演算処理に必要な情報を前記記憶領域にそれぞれ記憶するものであることを特徴とするビル設備管理システム。
【発明の詳細な説明】
【技術分野】
【０００１】
この発明は、ストレージシステム及びそれを用いたビル設備管理システムに関するものである。
【背景技術】
【０００２】
従来、ビルに設けられた空調や照明等のビル設備を管理するビル設備管理システムにおいては、ビル設備の管理に必要な情報をＨＤＤ（Ｈａｒｄ  Ｄｉｓｋ  Ｄｒｉｖｅ）等の記憶装置を用いて記憶している。この記憶装置に記憶されるビル設備の管理に必要な情報としては、それぞれのビル設備の設置箇所、設定及び現在の状態等のデータやビル設備管理プログラムの動作ログ等が挙げられる。
【０００３】
このようなビル設備管理システムは、定期点検等の特殊な場合を除いて停止することなく稼動し続ける必要がある。従って、ビル設備管理システムに用いられる記憶装置についても、停止することなく稼動し続ける信頼性が求められる。そこで、ビル設備管理システムに用いられる記憶装置においては、ＲＡＩＤ（Ｒｅｄｕｎｄａｎｔ  Ａｒｒａｙｓ  ｏｆ  Ｉｎｅｘｐｅｎｓｉｖｅ／Ｉｎｄｅｐｅｎｄｅｎｔ  Ｄｉｓｋｓ）−１、すなわちミラーリングの構成を採用し、２台のＨＤＤ（記憶装置）を使用して記憶装置を二重化して冗長性・信頼性を確保したストレージシステムが用いられる。
【０００４】
このようにビル設備管理システムにＲＡＩＤ−１のストレージシステムを用いることにより、ＲＡＩＤ−１を構成する２台の記憶装置（ＨＤＤ）のうちのいずれか一方が故障したとしても、他方の記憶装置（ＨＤＤ）によってシステム運用を継続することができる。ただし、ＲＡＩＤ−１を採用したストレージシステムの場合、必要に応じ又は定期的に、使用する２台の記憶装置の記憶内容の同期化を行うことが必要不可決である。
【０００５】
しかし、このＲＡＩＤ−１を採用したストレージシステムにおける記憶内容の同期化にかかる時間は、記憶装置の容量に比例して長くなってしまう。そこで、このようなＲＡＩＤ−１又はそれに類似するストレージシステムにおいて、記憶内容の同期化にかかる時間を短くしようとする運用方法として、メインサイトの記憶装置の記憶内容をバックアップサイトの記憶装置へと反映させる際に、メインサイトの記憶装置の構成情報を用いて、メインサイト及びバックアップサイト間の記憶装置の記憶内容の差分のみをバックアップサイトの記憶装置へと反映させるものが従来知られている（例えば、特許文献１参照）。
【先行技術文献】
【特許文献】
【０００６】
【特許文献１】特開２００５−２６７０３８号公報
【発明の概要】
【発明が解決しようとする課題】
【０００７】
このように、特許文献１に示された従来におけるストレージシステムにおいては、メインサイトの記憶装置の構成情報に基づいてバックアップサイトの記憶装置に反映すべき差分データを判断している。しかしながら、ユーザやプログラム等によって構成情報の内容が変更されてしまったり、あるいは何らかの異常によって構成情報の内容が破壊されてしまったりした場合には、実際の記憶内容と構成情報の内容との間の整合性がなくなってしまい、正しく差分を反映することができなくなってしまうという課題がある。
【０００８】
この発明は、このような課題を解決するためになされたもので、第１の目的は、ＲＡＩＤ−１構成のストレージシステムにおいて、ＲＡＩＤ−１を構成する２台の記憶装置間のより信頼性の高い差分情報管理を実現し、２台の記憶装置間の同期化において正しく差分を反映することができるストレージシステムを得るものである。
【０００９】
そして、第２の目的は、このようなストレージシステムを用いて、ＲＡＩＤ−１を構成する２台の記憶装置間の同期化にかかる時間を短くし、保守員による同期化作業の効率化を図ることができるビル設備管理システムを得るものである。
【課題を解決するための手段】
【００１０】
この発明に係るストレージシステムは、セクタに分割された記憶領域をそれぞれ有する第１の記憶装置及び第２の記憶装置と、上位装置による制御の下、前記第１の記憶装置及び前記第２の記憶装置の動作を管理制御する管理部と、前記第１の記憶装置及び前記第２の記憶装置のうち一方のみが動作している縮退動作時に前記一方の記憶装置が有する前記セクタの内容が変更された場合に、当該変更された前記セクタに関するセクタ変更情報を記憶する管理領域と、を備え、前記管理部は、前記第１の記憶装置と前記第２の記憶装置との同期化を行う際に、前記管理領域に記憶された前記セクタ変更情報に基づいて、変更された前記セクタのみを前記同期化の対象とする差分同期化を行い、前記管理領域は、前記管理部以外からのデータ書き込みが禁止されている構成とする。
【００１１】
また、この発明に係るビル設備管理システムにおいては、上記したストレージシステムを備え、ビルに設けられたビル設備を管理するビル設備管理システムであって、前記上位装置は、ビル設備の管理に必要な演算処理を行う中央処理装置であり、前記第１の記憶装置及び前記第２の記憶装置は、前記演算処理に必要な情報を前記記憶領域にそれぞれ記憶する構成とする。
【発明の効果】
【００１２】
この発明に係るストレージシステムは、ＲＡＩＤ−１を構成する２台の記憶装置間のより信頼性の高い差分情報管理を実現し、２台の記憶装置間の同期化において正しく差分を反映することができるという効果を奏する。
【００１３】
また、この発明に係るビル設備管理システムは、ＲＡＩＤ−１を構成する２台の記憶装置間の同期化にかかる時間を短くし、保守員による同期化作業の効率化を図ることができるという効果を奏する。
【図面の簡単な説明】
【００１４】
【図１】この発明の実施の形態１に係るストレージシステムを備えたビル設備管理システムの構成を示すブロック図である。
【図２】この発明の実施の形態１に係るストレージシステムのＲＡＩＤ管理領域に記録される内容の具体例を示す図である。
【図３】この発明の実施の形態１に係るストレージシステムにおける記憶装置のセクタに記憶される内容を変更した時の処理を示すフロー図である。
【図４】この発明の実施の形態１に係るストレージシステムにおけるＲＡＩＤ再構築（同期化）の処理を示すフロー図である。
【発明を実施するための形態】
【００１５】
実施の形態１．
図１から図４は、この発明の実施の形態１に係るもので、図１はストレージシステムを備えたビル設備管理システムの構成を示すブロック図、図２はストレージシステムのＲＡＩＤ管理領域に記録される内容の具体例を示す図、図３はストレージシステムにおける記憶装置のセクタに記憶される内容を変更した時の処理を示すフロー図、図４はストレージシステムにおけるＲＡＩＤ再構築（同期化）の処理を示すフロー図である。
【００１６】
図１において、１は、ビルに設けられた空調や照明等のビル設備を管理するビル設備管理システムである。このビル設備管理システム１には、ビル設備の管理に必要な演算処理を行う中央処理装置２（ＣＰＵ：Ｃｅｎｔｒａｌ  Ｐｒｏｃｅｓｓｉｎｇ  Ｕｎｉｔ）が備えられている。ビル設備管理システム１による管理機能は、この中央処理装置２においてビル設備管理プログラムが実行されることにより実現される。
【００１７】
ビル設備管理システム１は、ビル設備の管理、すなわち、中央処理装置２におけるビル設備管理プログラムの実行に必要な情報を記憶するためのストレージシステムを備えている。このビル設備の管理（ビル設備管理プログラムの実行）に必要な情報には、ビル設備管理プログラム自体のデータの他、それぞれのビル設備の設置箇所、設定及び現在の状態等のデータやビル設備管理プログラムの動作ログ等が含まれている。
【００１８】
ビル設備管理システム１が備えるストレージシステムは、ＲＡＩＤ（Ｒｅｄｕｎｄａｎｔ  Ａｒｒａｙｓ  ｏｆ  Ｉｎｅｘｐｅｎｓｉｖｅ／Ｉｎｄｅｐｅｎｄｅｎｔ  Ｄｉｓｋｓ）−１構成、すなわちミラーリングされた構成であり、第１の記憶装置３ａ及び第２の記憶装置３ｂの２つの記憶装置、並びに、これら２つの記憶装置の動作を管理制御するＲＡＩＤ管理部４から構成されている。２つの記憶装置はＨＤＤ（Ｈａｒｄ  Ｄｉｓｋ  Ｄｒｉｖｅ）から構成されている。すなわち、第１の記憶装置３ａはＨＤＤ−Ａから、第２の記憶装置３ｂはＨＤＤ−Ｂから、それぞれ構成されている。
【００１９】
これら第１の記憶装置３ａ及び第２の記憶装置３ｂのデータ記憶領域は複数のセクタに分割されており、第１の記憶装置３ａ及び第２の記憶装置３ｂにおけるデータの書き込み及び読み出しは、このセクタを単位として行われる。各セクタには、一意に識別可能なセクタ番号が割り振られている。このセクタ番号の割り振りは、第１の記憶装置３ａ及び第２の記憶装置３ｂのそれぞれ毎に行われる。
【００２０】
ＲＡＩＤ管理部４は、上位装置である中央処理装置２による制御の下で、第１の記憶装置３ａ及び第２の記憶装置３ｂのデータ記憶領域へのビル設備の管理に必要な情報の書き込み／読み出しや、第１の記憶装置３ａと第２の記憶装置３ｂとの間での記憶内容の同期化処理（ＲＡＩＤ再構築処理）を管理制御する。
【００２１】
通常、次に述べる縮退動作中を除き、ＲＡＩＤ管理部４は、中央処理装置２により記憶装置に記憶するよう指示されたデータを、第１の記憶装置３ａ及び第２の記憶装置３ｂ双方の同一のセクタ番号のセクタに同時に書き込んでいく。従って、原則として、第１の記憶装置３ａ及び第２の記憶装置３ｂには同一のデータが記憶されて二重化（ミラーリング）されており、ストレージシステムの冗長性が確保される。
【００２２】
ただし、所定の場合には、第１の記憶装置３ａ及び第２の記憶装置３ｂのうちのいずれか一方のみを動作させる縮退動作が行われる。縮退動作中においては、ＲＡＩＤ管理部４は、第１の記憶装置３ａ及び第２の記憶装置３ｂのうち動作中である一方のみのセクタにデータの書き込みを行う。従って、一時的に第１の記憶装置３ａ及び第２の記憶装置３ｂの記憶内容の同一性が保たれなくなる。そこで、必要に応じ又は定期的に、第１の記憶装置３ａ及び第２の記憶装置３ｂの記憶内容を一致させる同期化（ＲＡＩＤ再構築）が行われる。
【００２３】
この同期化（ＲＡＩＤ再構築）を行うために、第１の記憶装置３ａ及び第２の記憶装置３ｂのそれぞれには、縮退動作中に記憶内容が変更されたセクタの情報（以下、セクタ変更情報という）を保管しておくためのＲＡＩＤ管理領域が備えられている。第１の記憶装置３ａに備えられているのが第１のＲＡＩＤ管理領域５ａ（ＲＡＩＤ管理領域Ａ）であり、第２の記憶装置３ｂに備えられているのが第２のＲＡＩＤ管理領域５ｂ（ＲＡＩＤ管理領域Ｂ）である。
【００２４】
これらの第１のＲＡＩＤ管理領域５ａ及び第２のＲＡＩＤ管理領域５ｂは、ＲＡＩＤ管理部４からのみアクセス（記憶データの書き込み／読み出し）が可能であり、中央処理装置２で実行されているプログラムやユーザによる操作からの直接のアクセスは禁止されている。
【００２５】
また、第１のＲＡＩＤ管理領域５ａ及び第２のＲＡＩＤ管理領域５ｂは、各記憶装置のＨＤＤのデータ記憶領域の一部にそれぞれ構成するようにすることもできるが、ＲＡＩＤ管理領域専用の記憶手段をＨＤＤとは別に各記憶装置に備えることが好ましい。これは各記憶装置が備えるＨＤＤが物理的に故障した場合であってもＲＡＩＤ管理領域に保管されているデータを使用することができるようにするためである。このＲＡＩＤ管理領域用の記憶手段としては、例えばメモリＩＣ等を用いることが考えられる。
【００２６】
縮退動作中においては、ＲＡＩＤ管理部４は、第１の記憶装置３ａ及び第２の記憶装置３ｂのうち動作中である一方のセクタの記憶内容を変更した場合に、当該変更したセクタに関するセクタ変更情報を第１のＲＡＩＤ管理領域５ａ及び第２のＲＡＩＤ管理領域５ｂの双方に記録する。図２に、この第１のＲＡＩＤ管理領域５ａ及び第２のＲＡＩＤ管理領域５ｂに記録される内容の具体例を示す。
【００２７】
この図２に示すように、第１のＲＡＩＤ管理領域５ａ及び第２のＲＡＩＤ管理領域５ｂには、縮退動作中にセクタの内容を最後に変更した最終変更日時と、変更が行われたセクタ番号とが記録されている。この図２の例では、最終更新日時は、２０１１年２月１６日１２時４３分５６秒であり、変更されているセクタのセクタ番号は、２５６３６８から２５７３４６、３４２４６７、３５７２６３及び５４２７４５である。
【００２８】
図３のフロー図は、この実施の形態におけるビル設備管理システム１が備えるストレージシステムにおける、記憶装置のセクタの記憶内容を変更した際の処理を示すものである。
まず、ステップＳ１において、ＲＡＩＤ管理部４が中央処理装置２の指示の下で第１の記憶装置３ａ及び第２の記憶装置３ｂの少なくとも一方の記憶領域のセクタの記憶内容を変更すると、ステップＳ２へと進み、ＲＡＩＤ管理部４は、ストレージシステムが縮退動作中であるのか否か、すなわち、ステップＳ１のセクタ変更が第１の記憶装置３ａ及び第２の記憶装置３ｂのうちのいずれか一方のみにおいて行われたものであるのか否かを確認する。
【００２９】
このステップＳ２において、ストレージシステムが縮退動作中ではなかった場合には、ステップＳ１へと戻る。一方、ストレージシステムが縮退動作中であった場合には、ステップＳ３へと進む。このステップＳ３においては、ＲＡＩＤ管理部４は、第１のＲＡＩＤ管理領域５ａ及び第２のＲＡＩＤ管理領域５ｂの双方に、ステップＳ１で行ったセクタ変更に関するセクタ変更情報を記憶させる。
【００３０】
この第１のＲＡＩＤ管理領域５ａ及び第２のＲＡＩＤ管理領域５ｂにおけるセクタ変更情報の記憶は具体的には次のようにして行われる。すなわち、変更を行ったセクタ番号の情報については、第１のＲＡＩＤ管理領域５ａ及び第２のＲＡＩＤ管理領域５ｂが現在記憶しているセクタ番号に、今回変更を行ったセクタ番号を追加する。そして、最終更新日時の情報については、第１のＲＡＩＤ管理領域５ａ及び第２のＲＡＩＤ管理領域５ｂが現在記憶している最終更新日時を、今回変更を行った更新日時で上書きする。
【００３１】
この図３の処理フローは、ＲＡＩＤ管理部４が第１の記憶装置３ａ及び第２の記憶装置３ｂの少なくとも一方についてセクタ変更を行う度に実行される。
【００３２】
ＲＡＩＤ管理部４は、ユーザ（保守員）からの指示により又は定期的に、この第１のＲＡＩＤ管理領域５ａ及び第２のＲＡＩＤ管理領域５ｂに記憶された内容に基づいてＲＡＩＤ再構築（同期化）処理を行う。このＲＡＩＤ再構築（同期化）処理の流れを、図４に示す。
【００３３】
ステップＳ１１において、ユーザからの指示やタイマー処理等によりＲＡＩＤ再構築（同期化）を開始すると、ステップＳ１２に進み、ＲＡＩＤ管理部４は、まず、第１のＲＡＩＤ管理領域５ａに記憶されている内容と第２のＲＡＩＤ管理領域５ｂに記憶されている内容とを比較する。
【００３４】
この比較において、第１のＲＡＩＤ管理領域５ａに記憶されている最終更新日時及び変更を通ったセクタ番号と、第２のＲＡＩＤ管理領域５ｂに記憶されている最終更新日時及び変更を通ったセクタ番号とが一致した場合には、ステップＳ１３へと進む。このステップＳ１３においては、ＲＡＩＤ管理部４は、第１のＲＡＩＤ管理領域５ａ及び第２のＲＡＩＤ管理領域５ｂに記憶されているセクタ変更情報に基づいて、差分のみの同期化（ミラーリング）を行う。
【００３５】
すなわち、ＲＡＩＤ管理部４は、第１のＲＡＩＤ管理領域５ａ及び第２のＲＡＩＤ管理領域５ｂに記憶されている変更を通ったセクタ番号のセクタのみについて、第１の記憶装置３ａと第２の記憶装置３ｂとにおける記憶内容を同一のものに同期する。この際、同期の対象となっているセクタについて、第１の記憶装置３ａと第２の記憶装置３ｂとに異なるデータが記憶されていた場合には、例えば、当該データのうちタイムスタンプ（更新時間）の新しい方のデータに揃えるように同期する。
【００３６】
一方、ステップＳ１２の比較において、第１のＲＡＩＤ管理領域５ａに記憶されている最終更新日時及び変更を通ったセクタ番号と、第２のＲＡＩＤ管理領域５ｂに記憶されている最終更新日時及び変更を通ったセクタ番号とが一致しなかった場合には、ステップＳ１４へと進む。このステップＳ１４においては、第１のＲＡＩＤ管理領域５ａと第２のＲＡＩＤ管理領域５ｂのどちらのセクタ変更情報が正しいものであるのかが明確ではないため、ＲＡＩＤ管理部４は全同期化を行う。
【００３７】
すなわち、ＲＡＩＤ管理部４は、第１の記憶装置３ａ及び第２の記憶装置３ｂの全セクタについて記憶内容を同一のものに同期する。この際、同期の対象となっているセクタについて、第１の記憶装置３ａと第２の記憶装置３ｂとに異なるデータが記憶されていた場合には、差分同期化の場合と同様の処理を行うようにする。
【００３８】
ステップＳ１３での差分同期化又はステップＳ１４での全同期化が完了すると、ステップＳ１５へと進む。このステップＳ１５においては、ＲＡＩＤ管理部４は、第１のＲＡＩＤ管理領域５ａ及び第２のＲＡＩＤ管理領域５ｂに記憶されているセクタ変更情報から、ステップＳ１３又はステップＳ１４での同期化が完了したセクタ番号を消去する。
【００３９】
なお、このステップＳ１５におけるＲＡＩＤ管理領域のセクタ番号の消去は、ステップＳ１３での差分同期化又はステップＳ１４での全同期化の処理が完全に終了した後に行うようにしてもよいし、例えばユーザから同期化一時中断の指示がなされた場合に、それまでに同期化が完了しているセクタ番号をＲＡＩＤ管理領域から消去するようにしてもよい。あるいは、あるセクタについての同期化が完了する毎に当該セクタのセクタ番号をリアルタイムに消去していくようにしてもよい。
【００４０】
以上のように構成されたストレージシステムは、セクタに分割された記憶領域をそれぞれ有する第１及び第２の記憶装置と、上位装置である中央処理装置による制御の下、第１及び第２の記憶装置の動作を管理制御するＲＡＩＤ管理部と、第１及び第２の記憶装置のうち一方のみが動作している縮退動作時に前記一方の記憶装置が有するセクタの内容が変更された場合に、当該変更されたセクタに関するセクタ変更情報を記憶するＲＡＩＤ管理領域と、を備えている。そして、ＲＡＩＤ管理部は、第１の記憶装置と第２の記憶装置との同期化を行う際に、ＲＡＩＤ管理領域に記憶されたセクタ変更情報に基づいて、変更されたセクタのみを対象とする差分同期化を行い、ＲＡＩＤ管理領域は、ＲＡＩＤ管理部以外からのデータ書き込みが禁止されている。
【００４１】
このため、ＲＡＩＤ管理領域に記憶されている差分管理情報の不用意な変更を未然に防止し、ＲＡＩＤ−１を構成する２台の記憶装置間のより信頼性の高い差分情報管理を実現することができ、２台の記憶装置間の同期化において正しく差分を反映することができる。
【００４２】
さらに、差分同期化を行うことで、変更を行っていて同期化が必要なセクタのみを同期化の対象とするため、同期化にかかる時間を短縮できるとともに、不必要なセクタへのアクセス量を低減し記憶装置に用いられているＨＤＤの寿命を長くすることが可能である。また、加えて、同期化が行われるまではＲＡＩＤ管理領域に変更を行ったセクタ番号を追加していき、同期化が済んだセクタ番号をＲＡＩＤ管理領域から消去していくため、ＲＡＩＤ再構築処理を一時中断し、この一時中断箇所からＲＡＩＤ再構築処理を再開することができる。
【００４３】
また、以上のように構成されたストレージシステムは、セクタに分割された記憶領域をそれぞれ有する第１及び第２の記憶装置と、上位装置である中央処理装置による制御の下、第１及び第２の記憶装置の動作を管理制御するＲＡＩＤ管理部と、第１及び第２の記憶装置にそれぞれ設けられた第１及び第２のＲＡＩＤ管理領域と、を備えている。そして、ＲＡＩＤ管理部は、第１及び第２の記憶装置のうち一方のみが動作している縮退動作時に前記一方の記憶装置が有するセクタの内容が変更された場合に、当該変更されたセクタに関するセクタ変更情報を第１及び第２のＲＡＩＤ管理領域に記憶させるとともに、第１の記憶装置と第２の記憶装置との同期化を行う際、第１及び第２のＲＡＩＤ管理領域に記憶されたセクタ変更情報が一致した場合に、当該一致したセクタ変更情報に基づいて、変更されたセクタのみを同期化の対象とする差分同期化を行うものである。このため、上記した構成のストレージシステムと同様の効果を発揮することが可能である。
【００４４】
そして、以上のように構成されたビル設備管理システムは、上記したようなストレージシステムに、ビル設備管理に必要な情報を記憶させるため、ＲＡＩＤ−１を構成する２台の記憶装置間の同期化にかかる時間を短くし、保守員による同期化作業の効率化を図ることができる。
【符号の説明】
【００４５】
１    ビル設備管理システム
２    中央処理装置
３ａ  第１の記憶装置
３ｂ  第２の記憶装置
４    ＲＡＩＤ管理部
５ａ  第１のＲＡＩＤ管理領域
５ｂ  第２のＲＡＩＤ管理領域
【図１】
2012247856.tif 000003
【図２】
2012247856.tif 000004
【図３】
2012247856.tif 000005
【図４】
2012247856.tif 000006